(57)【要約】      （修正有） 【課題】ゴミ箱の蓋体の複合型開閉構造を提供する。 【解決手段】箱本体と、枠蓋と、開閉蓋と、ペダルと、連結杆と、を備えるゴミ箱の蓋体の複合型開閉構造である。該箱本体の前側面の下端には、凹部が設けられる。該枠蓋２は、箱本体１の上に取り付けられ、内部に開口２１を有し、その頂面は、該開口の前側に欠切部２４が設けられ、該欠切部内には、押圧具２５と係止具２６が枢設される。該開閉蓋は、該枠蓋の開口内に枢設されるとともに、該開口を被覆することができ、係止具により係止して固定される。該ペダル５は、箱本体の凹部内に装着される。該連結杆６の一端が前記ペダルと枢着され、他端が該係止具の底部までに延伸する。これにより、足踏開閉式と押圧開閉式という開閉蓋を開放する２種類の方式を有し、かつ伝動距離が短く、構造強度が優れ、故障率が低いものが得られる。【選択図】図１
0003183169.tif 000002
【実用新案登録請求の範囲】
【請求項１】
前側面の下端に凹部が設けられる箱本体と、前記箱本体の上に取り付けられ、内部に開口を有する枠蓋と、前記枠蓋の前記開口内に枢設されるとともに、前記開口を被覆可能な開閉蓋と、前記箱本体の前側面の下端の前記凹部内に装着されるペダルと、一端が前記ペダルと枢着される連結杆と、を備えるゴミ箱の蓋体の複合型開閉構造であって、
前記枠蓋の前記開口内には、少なくとも１つのトルクばねを有し、前記枠蓋の頂面は、前記開口の前側に欠切部が設けられ、前記欠切部内には、並置している押圧具と係止具が枢設されるとともに、前記押圧具を押圧することによって前記係止具への弾撥力が付与され、前記係止具を枢転させるようにし、
前記開閉蓋で前記開口を被覆する時に、前記係止具により前記開閉蓋が係止して固定され、
前記連結杆の他端が前記係止具の底部までに延伸し、前記ペダルが足踏みされると、上向きに前記係止具に当接することによって前記係止具を枢転させるようにすることを特徴とする、ゴミ箱の蓋体の複合型開閉構造。
【請求項２】
前記枠蓋の前記開口内の後端両側付近には、２つのトルクばねと連結される枢接部が設けられ、前記開閉蓋の後端両側付近には、枢軸が設けられ、前記枢軸を前記枠蓋の前記開口内の後端両側付近の前記枢接部上に枢設し、前記枠蓋の前記欠切部の底部には、２枚の弾性片が設けられ、前記係止具の両側には、それぞれ２枚の弾性片の下側に差し込んで係合するための係合片がそれぞれ延設され、前記押圧具の前記係止具に近隣する側には、前記係止具の下側に差し込むための２本の弾撥脚部が設けられることを特徴とする、請求項１に記載のゴミ箱の蓋体の複合型開閉構造。
【請求項３】
前記係止具には、前記開口の向く側に係合フックが設けられ、前記係止具の底部には、２つのＵ字形受止め部が設けられ、前記連結杆の一端が前記ペダルと枢着され、他端が前記係止具の底部の前記２つのＵ字形受止め部内までに延伸することを特徴とする、請求項１に記載のゴミ箱の蓋体の複合型開閉構造。
【考案の詳細な説明】
【技術分野】
【０００１】
本考案は、ゴミ箱の蓋体の複合型開閉構造に関し、特に、使用者に足踏開閉式または押圧開閉式を自由に選択して開閉蓋を開放することができる、ゴミ箱を提供する。
【背景技術】
【０００２】
生活品質の向上に伴い、一般的使用されているゴミ箱の殆どのものは、その開口の上を覆うための蓋体が設けられている。これによれば、ゴミ箱内のゴミが腐敗すると、異臭の漂い、または蚊やハエの発生に起因する衛生上の影響を防止することができるが、蓋体と箱身がそれぞれ独立した形態である場合、使用者がゴミをゴミ箱内に捨てる前に、手で蓋体を持ち上げる必要があるため、手の中にゴミを持っている使用者にとっては、極めて不便である。それ故に、開閉自在可能な蓋体を備えたゴミ箱が生み出され、それらの開閉可能な蓋体を備えたゴミ箱の中に最も常用されるのは、足踏開閉式のものであり、その例としては、特許文献１に開示されているような「足踏開閉式ゴミ箱の改良」、及び特許文献２に開示されているような「足踏開閉式ゴミバケツ」が挙げられる。地面に近接する箇所にペダルを設置し、ペダルと蓋体とは、２本の連結杆またはそれに類似する構造で箱本体の後側に折れ曲がって接続する。てこの理論によれば、ペダルを踏むと、蓋体が連動して開蓋する一方、ペダルを解放すると、蓋体が自由落下して開口を閉塞する。
【先行技術文献】
【特許文献】
【０００３】
【特許文献１】台湾実用新案登録第Ｍ２６５３６３号明細書
【特許文献２】台湾実用新案登録第Ｍ３１２５１７号明細書
【考案の概要】
【考案が解決しようとする課題】
【０００４】
しかしながら、上記従来のゴミ箱の蓋体開閉構造では、蓋体を開放する時に、位置決め仕組みを有していない。このため、使用者が多量のゴミをゴミ箱内に投入しようとしする場合において、ゴミをゴミ箱内に１回投入するごとに、ペダルを１回踏むことが望ましくないのであれば、ペダルを踏み続けないと、蓋体を最大開放状態に維持するすることができない。また、蓋体を開放するには、足踏開閉式を用いる単一方式しか選択できない。それらのことから、人々の使用に際する操作上の不便さを感じる状況が多々発生する。また、ペダルと蓋体とは、２本の連結杆またはそれに類似する構造で箱本体の後側に折れ曲がって接続しなければならない。したがって、所要の伝動距離が長く、構造強度が相対的に劣っているため、故障率が高いといった欠点を有する。
【０００５】
そこで、本考案の主な目的は、使用者が自由に選択できるために、足踏開閉式と押圧開閉式という開閉蓋を開放する２種類の方式を有し、かつ開閉蓋を開放した後には、トルクばねを介して開放状態に維持できることから、使用者が多量のゴミを処理し易くなり、使用利便性と実用性の向上を図ることにある。
【０００６】
本考案のその次の目的は、開閉蓋の開放操作を行う時に、ペダルは連結杆を介して係止具と連動すること、または押圧具は直接に係止具に弾撥力を付与することにより、伝動距離が短く、構造強度が優れ、故障率が低いものを得ることにある。
【課題を解決するための手段】
【０００７】
上記のような目的を達成するため、本考案のゴミ箱の蓋体の複合型開閉構造は、前側面の下端に凹部が設けられる箱本体と、箱本体の上に取り付けられ、内部に開口を有する枠蓋と、枠蓋の開口内に枢設されるとともに、開口を被覆可能な開閉蓋と、箱本体の前側面の下端の凹部内に装着されるペダルと、一端がペダルと枢着される連結杆と、を備えるゴミ箱の蓋体の複合型開閉構造であって、枠蓋の開口内には、少なくとも１つのトルクばねを有し、枠蓋の頂面は、開口の前側に欠切部が設けられ、欠切部内には、並置している押圧具と係止具が枢設されるとともに、押圧具を押圧することによって係止具への弾撥力が付与され、係止具を枢転させるようにし、開閉蓋で開口を被覆する時に、係止具により開閉蓋が係止して固定され、連結杆の他端が係止具の底部までに延伸し、ペダルが足踏みされると、上向きに係止具に当接することによって係止具を枢転させるようにすることを特徴とする。
【０００８】
他の態様では、枠蓋の開口内の後端両側付近には、２つのトルクばねと連結される枢接部が設けられ、開閉蓋の後端両側付近には、枢軸が設けられ、枢軸を枠蓋の開口内の後端両側付近の枢接部上に枢設し、枠蓋の欠切部の底部には、２枚の弾性片が設けられ、係止具の両側には、それぞれ２枚の弾性片の下側に差し込んで係合するための係合片がそれぞれ延設され、押圧具の係止具に近隣する側には、係止具の下側に差し込むための２本の弾撥脚部が設けられることを特徴とする。
【０００９】
他の態様では、係止具には、開口の向く側に係合フックが設けられ、係止具の底部には、２つのＵ字形受止め部が設けられ、連結杆の一端がペダルと枢着され、他端が係止具の底部の２つのＵ字形受止め部内までに延伸することを特徴とする。
【考案の効果】
【００１０】
本考案のゴミ箱の蓋体の複合型開閉構造によれば、使用者が自由に選択できるために、足踏開閉式と押圧開閉式という開閉蓋を開放する２種類の方式を有し、かつ当該２種類の開放方式のぞれぞれが独立に操作を行い、開閉蓋を開放した後には、トルクばねを介して開放状態に維持できるので、使用者が多量のゴミを処理し易くなり、使用利便性と実用性の向上が図られる。また、開閉蓋の開放操作を行う時に、ペダルは連結杆６を介して係止具と連動すること、または押圧具は直接に係止具に弾撥力を付与することにより、開閉蓋を開放することができるので、開放操作の伝動距離が短く、全体の構造強度が優れ、故障率が低いといった効果がある。
【図面の簡単な説明】
【００１１】
【図１】本考案の分解立体図である。
【図２】本考案の係止具の立体図である。
【図３】本考案の立体図である。
【図４】本考案の断面図である。
【図５】本考案の要部を示す部分断面拡大図である。
【図６】本考案の足踏開閉式で開放された状態を示す断面図である。
【図７】本考案の足踏開閉式で開放された状態での要部を示す部分断面拡大図である。
【図８】本考案の押圧開閉式で開放された状態を示す断面図である。
【図９】本考案の押圧開閉式で開放された状態での要部を示す部分断面拡大図である。
【図１０】本考案の２枚の弾性片により係止具を連動して枢転させることで、元の状態に戻す動作を示す模式図である。
【考案を実施するための形態】
【００１２】
以下、本考案の実施の形態について、添付図面を参照しながら説明し、本発明の理解に供する。
図１〜図４に示すように、本考案のゴミ箱の蓋体の複合型開閉構造は、箱本体１と、枠蓋２と、開閉蓋３と、位置制限具４と、ペダル５と、連結杆６と、を備えるように構成される。そのうち、上記箱本体１の前側面の下端には、凹部１１が設けられる。上記枠蓋２は、箱本体１の上に取り付けられ、内部に開口２１を有し、開口２１内の後端両側付近には、２つのトルクばね２３と連結される枢接部２２が設けられ、また上記枠蓋２の頂面は、上記開口２１の前側に欠切部２４が設けられる。上記欠切部２４の底部には、２枚の弾性片２４１が設けられ、また上記欠切部２４内には、並置している押圧具２５と係止具２６が枢設される。かつ、上記押圧具２５の係止具２６に近隣する側には、係止具２６の下側に差し込むための２本の弾撥脚部２５１が設けられる。上記係止具２６には、開口２１の向く側に係合フック２６１が設けられ、上記係止具２６の両側には、それぞれ２枚の弾性片２４１の下側に差し込んで係合するための係合片２６２がそれぞれ内向きに延設され、上記係止具２６の底部には、２つのＵ字形受止め部２６３が設けられる。上記開閉蓋３の後端両側付近には、枢軸３１が設けられ、上記枢軸３１を上記枠蓋２の開口２１内の後端両側付近の枢接部２２上に枢設することによって上記開口２１を被覆することができる。また、上記開閉蓋３で開口２１を被覆する時に、上記係止具２６の係合フック２６１により上記開閉蓋３の前端が係止して固定されると同時に、開閉蓋３の接当圧により上記２つのトルクばね２３はねじり状態に保持される。上記位置制限具４は、箱本体１と枠蓋２との間に設置され、その前側には、位置制限枠４１が設けられる。上記ペダル５は、箱本体１の凹部１１内に装着される。上記連結杆６の一端がペダル５と枢着され、他端が上記位置制限具４の位置制限枠４１を通過して上記係止具２６の底部の２つのＵ字形受止め部２６３内までに延伸する。
【００１３】
上記の構成によれば、図５と図６に示すように、使用時において、箱本体１の前側面の下端の凹部１１内に装着されるペダル５を踏む足踏開閉式を選択する場合、ペダル５を踏むことにより、連結杆６が連動されて上向きに移動し、連結杆６が係止具２６の底部の２つのＵ字形受止め部２６３に当接することによって上記係止具２６を枢転させるようにする。それにより、上記開閉蓋３は、係止具２６の係合フック２６１による係止固定から脱係すれば、トルクばね２３からの弾力により連動される開閉蓋３を自動的に枢転させて開放するとともに、開閉蓋３を開放状態に維持することができる。
【００１４】
また、図７と図８に示すように、使用者は、枠蓋２の欠切部２４内に枢設される押圧具２５を押圧する押圧開閉式を選択しもよい。押圧具２５を押圧すると、押圧具２５を枢転させて、上記押圧具２５の２本の弾撥脚部２５１により、係止具２６への弾撥力が付与されて係止具２６を枢転させるようにする。それにより、上記開閉蓋３は、係止具２６の係合フック２６１による係止固定から脱係すれば、トルクばね２３からの弾力により連動される開閉蓋３を自動的に枢転させて開放するとともに、開閉蓋３を開放状態に維持することができる。
【００１５】
開閉蓋３を開放するには、足踏開閉式及び押圧開閉式のいずれかを用いてもよい。その枠蓋２の欠切部２４の２枚の弾性片２４１のいずれも係止具２６の係合片２６２が上向きに移動することによって弾性変形を生じるため、ペダル５と押圧具２５を解放すると、図１０に示すように、上記２枚の弾性片２４１の戻す弾性力により下向きに係止具２６の係合片２６２に当接することによって係止具２６を連動して枢転させることで、元の状態に戻す。開閉蓋３を閉止する時に、開閉蓋３を枢転させて枠蓋２の開口２１を閉塞するだけで、上記係止具２６の係合フック２６１により開閉蓋３が再び係止して固定され、開閉蓋３を閉止する動作を容易に実現することができる。
【産業上の利用可能性】
【００１６】
上述した具体的な実施例の構造によれば、下記の効果が得られる。
【００１７】
１．本考案のゴミ箱の蓋体の複合型開閉構造によれば、使用者が自由に選択できるために、足踏開閉式と押圧開閉式という開閉蓋３を開放する２種類の方式を有し、かつ当該２種類の開放方式としては、各自が独立に操作を行い、開閉蓋３を開放した後には、トルクばね２３を介して開放状態に維持できる。そのため、使用者が多量のゴミを処理し易くなり、使用者の要求をより一層満足させることができるので、使用利便性と実用性の向上が図られる。
【００１８】
２．本考案のゴミ箱の蓋体の複合型開閉構造によれば、開閉蓋３の開放操作を行う時に、ペダル５は連結杆６を介して係止具２６と連動すること、または押圧具２５は直接に係止具２６に弾撥力を付与することにより、開閉蓋３を開放することができる。そのため、開放操作の伝動距離が短く、全体の構造強度が優れ、故障率が低いといった効果があるので、製品の市場競争力を向上させることができる。
【符号の説明】
【００１９】
１    箱本体
１１   凹部
２    枠蓋
２１   開口
２２   枢接部
２３   トルクばね
２４   欠切部
２４１  弾性片
２５   押圧具
２５１  弾撥脚部
２６   係止具
２６１  係合フック
２６２  係合片
２６３  Ｕ字形受止め部
３   
開閉蓋
３１  
枢軸
４   
位置制限具
４１  
位置制限枠
５   
ペダル
６   
連結杆
【図１】
0003183169.tif 000003
【図２】
0003183169.tif 000004
【図３】
0003183169.tif 000005
【図４】
0003183169.tif 000006
【図５】
0003183169.tif 000007
【図６】
0003183169.tif 000008
【図７】
0003183169.tif 000009
【図８】
0003183169.tif 000010
【図９】
0003183169.tif 000011
【図１０】
0003183169.tif 000012